(57)【要約】【課題】  電子マネーを記憶したＩＣカードによる印刷料金の決済を印刷設定の入力後に行う場合において、印刷サービスの利用意思が無い利用者により印刷設定の入力操作がなされることを防止する。【解決手段】  印刷制御装置３は、印刷料金の決済に用いる電子マネーを記憶したＩＣカード１が、ＩＣカードリーダライタ２に規定されたＩＣカード配置部２ａに提示されたことの検出を条件に、印刷設定の入力操作をタッチパネル３ａにより利用者から受け付けて、当該受け付けた印刷設定に基づく印刷処理を印刷装置４に実行させる。また、印刷設定の受け付け後に、ＩＣカード１の再提示を要求するメッセージをタッチパネル３ａに表示し、ＩＣカード１の再検出に応じて、当該ＩＣカード１の電子マネーを印刷処理の実行に応じた印刷料金に基づいて更新する。【選択図】  図１
2009043127.tif 000002
【特許請求の範囲】
【請求項１】
印刷料金の決済に用いる金銭情報を記憶した可搬性の記憶媒体が利用者により所定位置に提示されたことを検出する検出手段と、
前記記憶媒体の検出を条件に、印刷設定の入力操作を利用者から受け付ける第１の受付手段と、
受け付けた印刷設定に基づく印刷処理を印刷装置に実行させる実行手段と、
印刷設定の受け付け後に、前記記憶媒体を再提示することを利用者に要求する要求手段と、
前記記憶媒体の再検出に応じて、当該記憶媒体に係る金銭情報を印刷処理の実行に応じた印刷料金に基づいて更新する更新手段と、
を備えたことを特徴とする印刷制御装置。
【請求項２】
前記記憶媒体は、複数の金銭情報を記憶しており、
前記印刷制御装置は、前記記憶媒体に係る各金銭情報を示す表示を行う表示手段と、前記表示に係る各金銭情報のうち前記更新手段による更新対象の金銭情報の指定を利用者から受け付ける第２の受付手段と、前記受け付けた更新対象の金銭情報の識別情報を記憶する記憶手段と、を備え、
前記更新手段は、前記記憶媒体に係る各金銭情報のうちの前記記憶手段に記憶した識別情報に係る金銭情報を更新することを特徴とする請求項１に記載の印刷制御装置。
【請求項３】
前記表示手段は、前記記憶媒体に係る各金銭情報を示す表示を、残高が有る金銭情報と残高が無い金銭情報とを区別する態様で行うことを特徴とする請求項２に記載の印刷制御装置。
【請求項４】
前記表示手段は、前記記憶媒体に係る各金銭情報を示す表示と共に、各金銭情報に係る残高を示す表示を行うことを特徴とする請求項２又は請求項３に記載の印刷制御装置。
【請求項５】
前記表示手段は、前記記憶媒体に係る各金銭情報を示す表示を、各金銭情報に係る残高が多い順に行うことを特徴とする請求項２乃至請求項４のいずれか１項に記載の印刷制御装置。
【請求項６】
前記記憶媒体は、複数の金銭情報と前記更新手段による更新対象に予め指定された金銭情報の識別情報とを記憶しており、
前記更新手段は、前記記憶媒体に係る各金銭情報のうちの前記識別情報に係る金銭情報を更新することを特徴とする請求項１に記載の印刷制御装置。
【請求項７】
前記更新手段による更新対象とする複数の金銭情報が優先順位と共に指定されており、
前記更新手段は、優先順位の高い金銭情報から順に更新を行い、該金銭情報に係る残高が不足する場合に次位の金銭情報を更新することを特徴とする請求項２乃至請求項６のいずれか１項に記載の印刷制御装置。
【請求項８】
前記受付手段は、前記更新手段による更新対象の金銭情報に係る残高の範囲内で、印刷設定の入力を受け付けることを特徴とする請求項１乃至請求項７のいずれか１項に記載の印刷制御装置。
【請求項９】
前記実行手段は、前記記憶媒体の再検出に応じて印刷処理を印刷装置に実行させることを特徴とする請求項１乃至請求項８のいずれか１項に記載の印刷制御装置。
【請求項１０】
コンピュータに、
印刷料金の決済に用いる金銭情報を記憶した可搬性の記憶媒体が利用者により所定位置に提示されたことを検出する検出機能と、
前記記憶媒体の検出を条件に、印刷設定の入力操作を利用者から受け付ける第１の受付機能と、
受け付けた印刷設定に基づく印刷処理を印刷装置に実行させる実行機能と、
印刷設定の受け付け後に、前記記憶媒体を再提示することを利用者に要求する要求機能と、
前記記憶媒体の再検出に応じて、当該記憶媒体に係る金銭情報を印刷処理の実行に応じた印刷料金に基づいて更新する更新機能と、
を実現させるための印刷制御プログラム。
【発明の詳細な説明】
【技術分野】
【０００１】
本発明は、印刷処理を制御する印刷制御装置、印刷制御プログラムに関する。
【背景技術】
【０００２】
従来、紙文書のコピー機能や、電子文書（写真等）のプリント機能等を複合的に備えた複合機が、コンビニエンスストア等の不特定の利用者が訪れる環境に設置されており、印刷（コピー又はプリント）サービスの提供に用いられている。そして、印刷サービスの提供に係る印刷料金の決済を、電子マネーを記憶した非接触通信可能なＩＣカードを用いて行うことが考えられている。
【０００３】
例えば、利用者に入力された利用予定金額をＩＣカードの電子マネーから予め差し引いておき、印刷処理後に当該ＩＣカードを検知すると、印刷処理の実行により発生した利用金額が利用予定金額より少ない場合に、その差額を表示する画像形成装置の発明が提案されている。
【特許文献１】特開２００６−５８５６６号公報
【発明の開示】
【発明が解決しようとする課題】
【０００４】
印刷料金は、印刷設定（例えば、用紙サイズ、カラー／白黒、印刷部数、等）の内容に応じて異なるため、一般に、印刷設定が入力されて印刷料金が確定した後に電子マネーを記憶したＩＣカードにより印刷料金が決済することが考えられる。つまり、印刷料金を確定するために必要な印刷設定の入力操作については、利用者が自由に行うことができることになる。
【０００５】
これは、印刷サービスの利便性の観点から見ると好ましいものの、印刷装置（複合機）がコンビニエンスストア等の不特定の利用者が訪れる環境に設置されるような場合には、印刷サービスの利用意思が無い利用者により、単なる興味本位やいたずら目的で操作される恐れがあるという問題が生ずる。
【０００６】
本発明は、上記従来の事情に鑑みなされたものであり、電子マネーを記憶したＩＣカードによる印刷料金の決済を印刷設定の入力後に行う場合において、印刷サービスの利用意思が無い利用者により印刷設定の入力操作がなされることを防止することを目的としている。
【課題を解決するための手段】
【０００７】
請求項１に記載の本発明は、印刷料金の決済に用いる金銭情報を記憶した可搬性の記憶媒体が利用者により所定位置に提示されたことを検出する検出手段と、前記記憶媒体の検出を条件に、印刷設定の入力操作を利用者から受け付ける第１の受付手段と、受け付けた印刷設定に基づく印刷処理を印刷装置に実行させる実行手段と、印刷設定の受け付け後に、前記記憶媒体を再提示することを利用者に要求する要求手段と、前記記憶媒体の再検出に応じて、当該記憶媒体に係る金銭情報を印刷処理の実行に応じた印刷料金に基づいて更新する更新手段と、を備えたことを特徴とする印刷制御装置である。
【０００８】
請求項２に記載の本発明は、請求項１に記載の印刷制御装置において、前記記憶媒体は、複数の金銭情報を記憶しており、前記印刷制御装置は、前記記憶媒体に係る各金銭情報を示す表示を行う表示手段と、前記表示に係る各金銭情報のうち前記更新手段による更新対象の金銭情報の指定を利用者から受け付ける第２の受付手段と、前記受け付けた更新対象の金銭情報の識別情報を記憶する記憶手段と、を備え、前記更新手段は、前記記憶媒体に係る各金銭情報のうちの前記記憶手段に記憶した識別情報に係る金銭情報を更新することを特徴とする。
【０００９】
請求項３に記載の本発明は、請求項２に記載の印刷制御装置において、前記表示手段は、前記記憶媒体に係る各金銭情報を示す表示を、残高が有る金銭情報と残高が無い金銭情報とを区別する態様で行うことを特徴とする。
【００１０】
請求項４に記載の本発明は、請求項２又は請求項３に記載の印刷制御装置において、前記表示手段は、前記記憶媒体に係る各金銭情報を示す表示と共に、各金銭情報に係る残高を示す表示を行うことを特徴とする。
【００１１】
請求項５に記載の本発明は、請求項２乃至請求項４のいずれか１項に記載の印刷制御装置において、前記表示手段は、前記記憶媒体に係る各金銭情報を示す表示を、各金銭情報に係る残高が多い順に行うことを特徴とする。
【００１２】
請求項６に記載の本発明は、請求項１に記載の印刷制御装置において、前記記憶媒体は、複数の金銭情報と前記更新手段による更新対象に予め指定された金銭情報の識別情報とを記憶しており、前記更新手段は、前記記憶媒体に係る各金銭情報のうちの前記識別情報に係る金銭情報を更新することを特徴とする。
【００１３】
請求項７に記載の本発明は、請求項２乃至請求項６のいずれか１項に記載の印刷制御装置において、前記更新手段による更新対象とする複数の金銭情報が優先順位と共に指定されており、前記更新手段は、優先順位の高い金銭情報から順に更新を行い、該金銭情報に係る残高が不足する場合に次位の金銭情報を更新することを特徴とする。
【００１４】
請求項８に記載の本発明は、請求項１乃至請求項７のいずれか１項に記載の印刷制御装置において、前記受付手段は、前記更新手段による更新対象の金銭情報に係る残高の範囲内で、印刷設定の入力を受け付けることを特徴とする。
【００１５】
請求項９に記載の本発明は、請求項１乃至請求項８のいずれか１項に記載の印刷制御装置において、前記実行手段は、前記記憶媒体の再検出に応じて印刷処理を印刷装置に実行させることを特徴とする。
【００１６】
請求項１０に記載の本発明は、コンピュータに、印刷料金の決済に用いる金銭情報を記憶した可搬性の記憶媒体が利用者により所定位置に提示されたことを検出する検出機能と、前記記憶媒体の検出を条件に、印刷設定の入力操作を利用者から受け付ける第１の受付機能と、受け付けた印刷設定に基づく印刷処理を印刷装置に実行させる実行機能と、印刷設定の受け付け後に、前記記憶媒体を再提示することを利用者に要求する要求機能と、前記記憶媒体の再検出に応じて、当該記憶媒体に係る金銭情報を印刷処理の実行に応じた印刷料金に基づいて更新する更新機能と、を実現させるための印刷制御プログラムである。
【発明の効果】
【００１７】
請求項１に記載の印刷制御装置によると、印刷料金の決済に用いる金銭情報（いわゆる電子マネー）を記憶した可搬性の記憶媒体（例えば、ＩＣカード、携帯電話、等）の検出を条件に、印刷設定の入力操作を利用者から受け付けるようにしたため、印刷サービスの利用意思が無い利用者により印刷設定の入力操作がなされることを防止することを目的としている。
【００１８】
請求項２に記載の印刷制御装置によると、複数の電子マネーを記憶した記憶媒体を用いて印刷料金の決済をするにあたり、複数回の決済を行う場合でも決済対象の電子マネーの選択が一回で済むため、利用者の作業負担を軽減できる。
【００１９】
請求項３に記載の印刷制御装置によると、複数の電子マネーを記憶した記憶媒体を用いて印刷料金の決済をするにあたり、各電子マネーの残高の有無を一目して把握することができる。
【００２０】
請求項４に記載の印刷制御装置によると、複数の電子マネーを記憶した記憶媒体を用いて印刷料金の決済をするにあたり、決済対象の電子マネーの選択を、各電子マネーの残高を参考にして行うことができる。
【００２１】
請求項５に記載の印刷制御装置によると、複数の電子マネーを記憶した記憶媒体を用いて印刷料金の決済をするにあたり、決済対象の電子マネーの選択を、各電子マネーの残高の順序を参考にして行うことができる。
【００２２】
請求項６に記載の印刷制御装置によると、複数の電子マネーを記憶した記憶媒体を用いて印刷料金の決済をするにあたり、利用者に決済対象の電子マネーを選択させることなく決済を行うことができる。
【００２３】
請求項７に記載の印刷制御装置によると、複数の電子マネーを記憶した記憶媒体を用いて印刷料金の決済をするにあたり、決済対象の電子マネーが残高不足になった際に、次の決済対象の電子マネーを利用者に再選択させることなく決済を行うことができる。
【００２４】
請求項８に記載の印刷制御装置によると、決済対象の電子マネーによる決済能力を超えた印刷処理が実行されることを未然に防止できる。
【００２５】
請求項９に記載の印刷制御装置によると、印刷料金の決済と印刷処理の実行とが、記憶媒体の再提示という一回の操作で開始されるため、利用者の作業負担を軽減できる。
【００２６】
請求項１０に記載の印刷制御プログラムによると、コンピュータを、上記の印刷制御装置として機能させることができる。
【発明を実施するための最良の形態】
【００２７】
本発明を、以下に例示する実施形態に基づいて具体的に説明する。
図１は、本例に係る印刷制御システムの概要を示している。
本例に係る印刷制御システムによると、印刷制御装置３が、印刷設定の入力操作を利用者から受け付けて、受け付けた印刷設定に基づく印刷処理を印刷装置４に実行させると共に、印刷処理の実行に応じた印刷料金を、金銭情報（いわゆる電子マネー）を記憶した可搬性の記憶媒体（ＩＣカード）１との間で情報授受を行うＩＣカードリーダライタ２を介して当該ＩＣカード１から決済する。なお、ＩＣカード１に代えて、電子マネーを記憶した携帯電話等の他の可搬性の記憶媒体を用いてもよい。
【００２８】
本例では、印刷制御装置３は、利用者へ提供する情報を表示するディスプレイ画面に、利用者の接触操作を感知する感圧パネルを重ねて配置したタッチパネル３ａを有しており、当該タッチパネル３ａにより利用者から各種入力操作を受け付ける。
また、ＩＣカードリーダライタ２には、ＩＣカード１を提示する提示位置２ａが規定されており、当該提示位置２ａに配置し又は翳す等の提示行為がなされたＩＣカード１との間で情報授受を行う。
【００２９】
図２は、本例に係るＩＣカード１が記憶しているデータを例示している。
本例では、ＩＣカード１を識別するカードＩＤ、電子マネーを識別する電子マネーＩＤと当該電子マネーの残高とを組にした電子マネー情報、等のデータを記憶している。
すなわち、本例のＩＣカード１は複数の電子マネーを搭載でき、後述するように、利用者は印刷料金の決済に用いる電子マネーを選択することができる。
【００３０】
図３は、本例に係る印刷制御システムの機能ブロック図である。
本例に係る印刷制御システムは、印刷対象の画像の入力を行う画像入力部５１（紙文書を読み込んで画像データを生成するスキャナや、各種メモリーカードから画像データを読み込むリーダ等）、画像を紙媒体に印刷処理して出力する画像出力部５２、ＩＣカード１に搭載された電子マネーに対する決済端末を担当するＩＣカードリーダライタ５３、各種情報を記録するメモリやＨＤＤ等の記録部５４、利用者から各種入力操作を受け付ける操作指示部５５、利用者へ提供する情報を表示する表示部５６、上記の各部と連携して各種処理を実施する処理部５７、を備えている。
【００３１】
本例では、画像入力部５１は、紙文書のコピーを行う場合には、印刷装置４に設けたスキャナ装置（図示せず）が担当し、電子文書（写真等）のプリントを行う場合には、印刷制御装置３に設けた各種メモリーカードのリーダ装置（図示せず）が担当する。
また、ＩＣカードリーダライタ５３は図１のＩＣカードリーダライタ２、画像出力部５２は図１の印刷装置４に該当する。
また、記録部５４、操作指示部５５、表示部５６、処理部５７は、図１の印刷制御装置３が備えている。なお、操作指示部５５及び表示部５６は、印刷制御装置３のタッチパネル３ａにより構成してある。
【００３２】
ここで、処理部５７は、ＩＣカード１の提示を利用者に要求するメッセージを表示部５６に表示する機能、ＩＣカードリーダライタ５３にＩＣカード１が提示されたことを検出する機能、ＩＣカード１の検出を条件に、印刷設定の入力画面を表示部５６に表示し、印刷設定の入力操作を操作指示部５５により利用者から受け付ける機能、受け付けた印刷設定に基づく印刷処理を画像出力部５２に実行させる機能、印刷設定の受け付け後に、ＩＣカード１の再提示を利用者に要求するメッセージを表示部５６に表示する機能、ＩＣカード１の再検出に応じて、当該ＩＣカード１の電子マネー情報を印刷処理の実行に応じた印刷料金に基づいて更新する機能、等を有している。
【００３３】
次に、本例に係る印刷制御システムによる印刷サービスの流れを、図４を参照して説明する。
表示部５６には、本システムで提供する印刷サービスとして、紙文書のコピーサービスと電子文書のプリントサービスとを示す表示がなされており、利用する印刷サービスが利用者に選択されることを待機している。処理部５７は、操作指示部５５により印刷サービスの選択を受け付けると、印刷サービスの利用意思の確認のために、ＩＣカード１の提示を利用者に要求するメッセージを表示部５６に表示する（ステップＳ１）。
処理部５７は、ＩＣカードリーダライタ５３にＩＣカード１が提示されるまで待機し（ステップＳ２）、ＩＣカード１の提示を検出すると、当該ＩＣカード１からカードＩＤ及び電子マネー情報をＩＣカードリーダライタ５３を介して取得する（ステップＳ３）。
【００３４】
処理部５７は、取得した電子マネー情報に含まれる電子マネーが１種類の場合には、当該電子マネーの電子マネーＩＤ及び残高をカードＩＤに対応付けて記録部５４に記録する。一方、電子マネーが複数種類の場合には、表示部５６に各電子マネーを示す表示を行い（ステップＳ４）、印刷料金の決済に用いる電子マネーの選択を利用者から受け付けて（ステップＳ５）、当該受け付けた決済対象の電子マネーの電子マネーＩＤ及び残高をカードＩＤに対応付けて記録部５４に記録する（ステップＳ６）。
【００３５】
その後、つまりＩＣカード１の検出を条件に、処理部５７は、印刷設定（例えば、用紙サイズ、カラー／白黒、印刷部数、等）の入力画面を表示部５６に表示し、印刷設定の入力操作を操作指示部５５により利用者から受け付ける（ステップＳ７）。なお、本例では、印刷設定の入力を、記録部５４に記録した残高の範囲内に制限している。印刷設定の入力が終わると、受け付けた印刷設定に基づく印刷処理の実行に応じた印刷料金を算出し（ステップＳ８）、印刷料金の決済のために、ＩＣカード１の再提示を利用者に要求するメッセージを表示部５６に表示する（ステップＳ９）。
【００３６】
処理部５７は、ＩＣカードリーダライタ５３にＩＣカード１が再提示されるまで待機し（ステップＳ１０）、ＩＣカード１の再提示を検出すると、当該ＩＣカード１からカードＩＤをＩＣカードリーダライタ５３を介して取得する。そして、当該取得したカードＩＤに対応付けられている電子マネーＩＤを記録部５４を参照して特定し、当該特定した電子マネーＩＤに該当するＩＣカード１の電子マネーの残高から、前記算出した印刷料金を減算して更新することにより印刷料金の決済を行う（ステップＳ１１）。また、ＩＣカード１の再提示を印刷の実行指示とみなし、印刷処理を画像出力部５２に実行させる（ステップＳ１２）。なお、印刷の実行指示を、印刷料金の決済前又は決済後に操作指示部５５により受け付けるようにしてもよい。
【００３７】
印刷処理が終了すると、処理部５７は、印刷サービスの利用を終了するか否かを確認するメッセージを表示部５６に表示し（ステップＳ１３）、終了する指示を受け付けるまで、ステップＳ７〜ステップＳ１２までの処理を繰り返す。
このように、ＩＣカード１の提示により印刷サービスの利用意思の確認した後に印刷設定を受け付けるため、印刷サービスの利用意思が無い利用者により印刷設定の入力操作がなされることを防止でき、更に、ＩＣカード１の提示の際に決済対象の電子マネーの選択を受け付けて記録するため、印刷サービスを連続して利用する場合の印刷料金の決済毎に、利用者が電子マネーを選択せずに済む。
【００３８】
本例では、決済対象の電子マネーの選択を受け付けるにあたり、各電子マネーを示す表示と共に各電子マネーの残高を示す表示を行っており、決済対象の電子マネーの選択の参考にできるようにしている。なお、各電子マネーを示す表示を、残高が有る電子マネーと残高が無い電子マネーとを区別する態様（例えば、文字色を変える、残高が有る電子マネーのみを表示、等）で行ったり、残高が多い順に行ったりしてもよい。
【００３９】
ここで、選択された電子マネーに残高が無い場合には、次のような処理を行う。例えば、印刷サービスの提供を中止する、別の電子マネーを選択するように促す、選択した電子マネーにチャージするように促す、チャージ機能を有するシステムの場合にはチャージ処理に遷移する。また、ＩＣカード１に残高が有る電子マネーが一つもない場合には、印刷サービスの提供を中止する。
【００４０】
なお、決済対象として複数の電子マネーの選択を優先順位と共に受け付けてもよく、この場合には、優先順位の高い電子マネーから順に決済（残高を更新）し、該電子マネーの残高が不足する場合に次位の電子マネーから決済するようにすればよい。この場合、選択された各電子マネーの残高の合計を利用可能残高として画面表示することが好ましい。
【００４１】
また、本例では、決済対象の電子マネーを利用者から受け付ける構成としているが、予め決済対象の電子マネーが規定されていてもよい。すなわち、ＩＣカード１に、決済対象の電子マネーの電子マネーＩＤを記憶させておくことで、決済時に、当該電子マネーＩＤを参照して決済対象の電子マネーを特定することができる。
【００４２】
また、本例では、選択された電子マネーの残高の範囲内で印刷設定の入力を受け付ける構成としているが、残高を確認せずに印刷設定の入力を受け付ける構成としてもよい。しかしながら、当該構成の場合には残高不足により印刷料金を決済できない場合があり、その場合には次のような処理を行う。例えば、印刷サービスの提供を中止する、残高で利用可能な範囲内の処理だけを行う、別の支払手段（別の電子マネー、或いは現金支払等）を選択するかを問い合わせる。なお、別の支払手段を選択した場合には、最初に選択されていた電子マネーから決済した後に不足分を別の支払手段で決済するか、或いは、全額を別の支払い手段で決済すればよい。
【００４３】
図５は、本例の印刷制御装置３の主要なハードウェア構成を示している。
すなわち、本例の印刷制御装置３は、各種演算処理を行うＣＰＵ６１、ＣＰＵ６１の作業領域となるＲＡＭ６２、基本的な制御プログラムを記憶するＲＯＭ６３、本発明に係る各機能を実現するための管理装置プログラム等を記憶するＨＤＤ６４、タッチパネル３ａにより利用者への情報の提供や操作入力の受け付け等を行うための入出力Ｉ／Ｆ６５、ＩＣカードリーダライタ２（５３）や印刷装置４（画像出力部５２）等との通信を行うための通信Ｉ／Ｆ６６、等のハードウェア資源を有するコンピュータで構成されている。
そして、本発明に係る印刷制御プログラムをＨＤＤ６４から読み出してＲＡＭ６２に展開し、これをＣＰＵ６１により実行させることで、本発明に係る各機能手段を印刷制御装置３のコンピュータに実現している。
【００４４】
なお、本発明に係る印刷制御プログラムは、例えば、当該プログラムを記憶したＣＤ−ＲＯＭ等の外部記憶媒体を配布する形式や、ネットワークを介して配信する形式により、本発明の実施者に提供される。
また、本発明に係る各機能手段は、本例のようなソフトウェア構成により実現する態様に限られず、それぞれ専用のハードウエアモジュールで構成してもよい。
また、本発明に係る各機能手段は、本例のように１台のコンピュータに設ける態様に限られず、複数台のコンピュータに分散して設けてもよい。
【図面の簡単な説明】
【００４５】
【図１】本発明の一例に係る印刷制御システムの概要を説明する図である。
【図２】本発明の一例に係るＩＣカードの保持データを示す図である。
【図３】本発明の一例に係る印刷制御システムの機能ブロック図である。
【図４】本発明の一例に係る印刷サービスの流れを説明する図である。
【図５】本発明の一例に係る印刷制御装置のハードウェア構成図である。
【符号の説明】
【００４６】
１：ＩＣカード、
２：ＩＣカードリーダライタ、
３：印刷制御装置、
４：印刷装置、
５１：画像入力部、
５２：画像出力部、
５３：ＩＣカードリーダライタ、
５４：記録部、
５５：操作指示部、
５６：表示部、
５７：処理部
【図１】
2009043127.tif 000003
【図２】
2009043127.tif 000004
【図３】
2009043127.tif 000005
【図４】
2009043127.tif 000006
【図５】
2009043127.tif 000007